(57)【要約】      （修正有）【課題】装設及び結合がより簡単に手早く行える放熱可能な集光モジュールを提供する。【解決手段】継合座２の位置決めブロック２２及び位置限定ブロック２３を基板１の位置決め溝１２及び位置限定溝１３内にそれぞれ納置させ、前記継合座の嵌合用ホック２４が前記基板の嵌合用凹部１４に嵌合され、前記基板と前記継合座とが相互に直接装設されて定位され、集光ランプの笠３は前記継合座の他面に対応して装設される。放熱座４は放熱用フィン間の隙間に形成されると共に前記継合座により貫通されて基板１の嵌合用ホック２４に緊密に嵌合され、前記放熱座の端面は基板１に貼着され、これにより基板１に設けられる発光源が発生させる熱エネルギーは前記放熱座４の放熱用フィンにより放熱される。【選択図】図１
0003189764.tif 000002
【実用新案登録請求の範囲】
【請求項１】
中間位置には発光源が設置され、周縁には位置決め溝及び複数の位置限定溝が凹設され、位置決め溝と位置限定溝との間及び各位置限定溝の間にはそれぞれ嵌合用凹部が凹設される基板と、
継合座と、
集光ランプの笠と、
放熱座を備え、
前記継合座は、前記基板の前記発光源の同軸に対応させて有孔部が開設され、前記継合座が対応する前記基板の一端面には前記位置決め溝に合わせて位置決めブロックが凸設され、前記位置限定溝に合わせて位置限定ブロックが凸設され、また前記嵌合用凹部に合わせて嵌合用ホックが凸設され、他端面は前記の集光ランプの笠に装設されて結合され、前記集光ランプの笠は、前記継合座と相互に装設されて結合されて定位し、前記放熱座は、複数の放熱用フィン体が中心から放射状に設置され、各前記放熱用フィン体の両側面からは対応して複数の放熱用フィンが延伸され、同側に隣接する２つの前記放熱用フィンの間には隙間が形成され、前記隙間は前記継合座により貫通されると共に前記基板の前記嵌合用凹部の前記嵌合用ホックを突出させ対応させて嵌合させ、前記放熱座の端面は前記基板に貼着することを特徴とする、
放熱可能な集光モジュール。
【請求項２】
前記集光モジュールは、前記継合座の孔部中に対応して嵌合されると共に前記基板上の発光源の同軸に設置される全体集光レンズを更に備え、前記全体集光レンズの有効入光角度は発光源の出光角度に等しいかより大きく、前記全体集光レンズの出光角度は集光ランプの笠の有効入光角度に等しいかより小さいことを特徴とする、請求項１に記載の放熱可能な集光モジュール。
【請求項３】
前記集光モジュールは光を反射させるハーフハウジングを更に備え、前記光を反射させるハーフハウジングは前記集光ランプの笠と前記継合座との間に装設され、前記光を反射させるハーフハウジングの設置により発光源の上半部から散光する光線は更に反射して集光され、前記集光モジュールは投射される光の形状の下半部領域の面積を増加させることを特徴とする、請求項１に記載の放熱可能な集光モジュール。
【考案の詳細な説明】
【技術分野】
【０００１】
本考案は、放熱可能な集光モジュールに関し、より詳しくは放熱座と他の部材とを装設し結合するのに工具が必要なく、直接嵌合させ結合させて固定可能であり、装設及び結合がより簡単に手早く行える放熱可能な集光モジュールに関する。
【背景技術】
【０００２】
一般的な集光構造には、発光ダイオード〔ｌｉｇｈｔ  ｅｍｉｔｔｉｎｇ  ｄｉｏｄｅ、ＬＥＤ〕等の発光源が設置される基板が設けられる。また、前記基板の外端面には継合座が設けられ、前記基板と継合座との間は複数の螺合部材により螺設されて結合され固定され、前記継合座の外端面には集光ランプの笠が装設されて結合される。
使用時には、基板上の発光源が発する光線は前記集光ランプの笠を透光させ、集光ランプの笠により集光されて外に向け投射され、照明の集光効果を達成させる。
【考案の概要】
【考案が解決しようとする課題】
【０００３】
しかしながら、前述した従来の集光構造は、基板の発光源が発する光線を集光させる照明効果を達成させるが、装設工程において、前記基板と前記継合座との間は複数の螺合部材により螺設させて結合させ定位され、装設して結合させる過程で螺設及び結合に工具を使用せねばならず、装設が極めて不便であり時間も浪費した。
また、現在普及する集光構造には放熱構造が設置されておらず、発光源が発光する際に発生する熱エネルギーを適時に放熱できず、発光源が長時間高温の環境に置かれると損壊してしまい、前記発光源の耐用年数にも影響した。特に照明に使用される発光源は高出力でなければならず、出力が高ければ発光時に発生する熱エネルギーも高くなるが、これは損壊の確立も高くなることを意味し、現在の高出力の発光ダイオードが使用される照明の範囲を狭めている。
【０００４】
そこで、本考案者は上記の欠点が改善可能と考え、鋭意検討を重ねた結果、合理的かつ効果的に課題を改善する本考案の提案に到った。
【０００５】
本考案は、このような従来の問題に鑑みてなされたものである。本考案の主な目的は、上述の問題を解決するために、放熱可能な集光モジュールを提供することにある。
つまり、前記集光モジュール自身の嵌合機制により放熱構造を結合させることで前記集光モジュールに放熱機能を持たせ、発光源の発光時に発生する熱エネルギーを放熱させ、発光源が損壊するのを防ぎ耐用年数も延ばす。
【０００６】
本考案の第２の目的は、前記集光モジュールの各部材を装設させて結合させるのに工具が要らず、直接嵌合し結合させて固定可能であり、装設がより簡単に素早く行える効果を達成することにある。
【０００７】
また、本考案の第３の目的は、装設させて結合させるのに工具が要らず、直接嵌合させて結合させ固定させることで装設が簡易且つ高速になるのに加え、更にチップ発光ダイオードの発光源の出光角度の大小に拘らず、発光源から発する光線は全て集光され、転換されて末端レンズに必要な入光角度で投射されることで、末端レンズから投射される光線の強度を高めることにある。
【０００８】
さらに、本考案の第４の目的は、装設させて結合させるのに工具が不要であり、直接嵌合し結合して固定させ、装設を簡易且つ高速にした上で、投射される光の形状の下半部の面積を増加させる集光モジュールの嵌合構造を提供することにある。
【課題を解決するための手段】
【０００９】
上述した課題を解決し、目的を達成するために、本考案に係る放熱可能な集光モジュールは、中間位置には発光源が設置され、周縁には位置決め溝及び複数の位置限定溝が凹設され、位置決め溝と位置限定溝との間及び各位置限定溝の間には皆嵌合用凹部が凹設される基板と、継合座と、集光ランプの笠と、放熱座を備え、ここでは、前記継合座は、前記基板の前記発光源の同軸に対応させて有孔部が開設され、前記継合座が対応する前記基板の一端面には前記位置決め溝に合わせて位置決めブロックが凸設され、前記位置限定溝に合わせて位置限定ブロックが凸設され、また前記配合嵌合用凹部に合わせて嵌合用ホックが凸設され、他端面は前記の集光ランプの笠に装設されて結合され、前記集光ランプの笠は、前記継合座と相互に装設されて結合されて定位し、前記放熱座は、複数の放熱用フィン体が中心から放射状に設置され、各前記放熱用フィン体の両側面からは対応して複数の放熱用フィンが延伸され、同側に隣接する２つの前記放熱用フィンの間には隙間が形成され、前記隙間は前記継合座により貫通されると共に前記基板の前記嵌合用凹部の前記嵌合用ホックを突出させ対応させて嵌合させ、前記放熱座の端面は前記基板に貼着することを特徴とする。
【００１０】
上述した放熱可能な集光モジュールは、前記継合座の孔部中に対応して嵌合されると共に前記基板上の発光源の同軸に設置される全体集光レンズを更に備え、前記全体集光レンズの有効入光角度は発光源の出光角度に等しいかより大きく、前記全体集光レンズの出光角度は集光ランプの笠の有効入光角度に等しいかより小さい。
【００１１】
上述した放熱可能な集光モジュールは、前記継合座の孔部の周壁には第一係合部が設けられ、全体集光レンズの外周壁には第二係合部が設けられ、前記第二係合部と第一係合部とは相互に嵌合されて定位される。
【００１２】
上述した放熱可能な集光モジュールは、前記集光ランプの笠の出光面には相互に交叉するＸ軸稜線及びＹ軸稜線が形成され、出光面は時計回りに第一領域曲面から第四領域曲面に分割され、前記「稜線」の定義は２つの隣接する領域曲面の最高点が互いに交わり接続して形成される線を指し、前記「稜線」の線上の任意の一点と、２つの隣接する領域曲面の前記「稜線」に対応する任意の一点とは互いに対応し重複する点を有し、前記２つの重複する点の曲率は同じである。
第一領域曲面及び第四領域曲面が組成する領域のＸ軸の曲率と第二領域曲面及び第三領域曲面が組成する領域のＸ軸の曲率とが同じであり、第一領域曲面及び第二領域曲面が組成する領域のＹ軸の曲率と第三領域曲面及び第四領域曲面が組成する領域のＹ軸の曲率とが同じである場合、前記Ｘ軸の曲率と前記Ｙ軸の曲率とは不等である。
【００１３】
上述した放熱可能な集光モジュールは、前記継合座の他端面には複数の係合ブロックが凸設され、前記係合ブロックの内側の端面には係合用凹部が凹設され、前記集光ランプの笠の周縁の継合座に対応する各係合ブロックには皆係合溝が形成され、係合溝の一側の係合ブロックに対応する係合用凹部には係合用凸部が凸設され、前記集光ランプの笠の係合溝の外端に対応させて回転位置決め溝が形成される。
【００１４】
上述した放熱可能な集光モジュールは、前記継合座の他端面には複数の係合ブロックが凸設され、前記係合ブロックの内側の端面には係合用凹部が凹設され、前記集光ランプの笠の周縁の継合座に対応させる各係合ブロックには皆係合溝が形成され、係合溝の両側には共に係合ブロックの係合用凹部に対応させて係合用凸部が凸設され、前記集光ランプの笠には係合溝の外端に対応させて位置決め嵌合部が形成される。
【００１５】
上述した放熱可能な集光モジュールは、前記集光モジュールは光を反射させるハーフハウジングを更に備え、前記光を反射させるハーフハウジングは前記集光ランプの笠と前記継合座との間に装設され、前記光を反射させるハーフハウジングの設置により、発光源の上半部から散光される光線は更に反射されて集光され、前記集光モジュールにより投射される光の形状の下半部領域の面積を増加させる。
【図面の簡単な説明】
【００１６】
【図１】本考案の第１実施形態に係る放熱可能な集光モジュールの傾斜の分解図である。
【図２】本考案の第１実施形態に係る放熱可能な集光モジュールの組合せの側面図である。
【図３】本考案の第１実施形態に係る放熱可能な集光モジュールの組合せの背面図である。
【図４】本考案の第２実施形態に係る放熱可能な集光モジュールの傾斜の分解図である。
【図５】本考案の第３実施形態に係る放熱可能な集光モジュールの傾斜の分解図である。
【図６】本考案の第３実施形態に係る放熱可能な集光モジュールの組合せの側面図である。
【図７】本考案の第４実施形態に係る放熱可能な集光モジュールの傾斜の分解図である。
【図８】本考案の第５実施形態に係る放熱可能な集光モジュールの傾斜の分解図である。
【図９】本考案の第５実施形態に係る放熱可能な集光モジュールの組合せの側面図である。
【図１０】本考案の第６実施形態に係る放熱可能な集光モジュールの傾斜の分解図である。
【図１１】本考案に係る放熱可能な集光モジュールの集光ランプの笠の出光面構造の平面図である。
【考案を実施するための形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１８】
（第１実施形態）
以下、第１実施形態を図１〜３に基づいて説明する。
本考案の放熱可能な集光モジュールは基板１、継合座２、集光ランプの笠３及び放熱座４で構成されている。
前記基板１の中間位置には発光ダイオード〔ｌｉｇｈｔ  ｅｍｉｔｔｉｎｇ  ｄｉｏｄｅ、ＬＥＤ〕等の発光源１１が設置され、前記基板１の周縁には位置決め溝１２及び複数の位置限定溝１３が凹設され、基板１周縁の位置決め溝１２と位置限定溝１３との間及び各位置限定溝１３との間には共に嵌合用凹部１４が凹設される。
【００１９】
前記継合座２は基板１の発光源１１に対応させて孔部２１が開設され、継合座２の基板１に対応する一端面には位置決め溝１２に合わせて位置決めブロック２２が凸設され、位置限定溝１３に合わせて位置限定ブロック２３が凸設され、また嵌合用凹部１４に合わせて嵌合用ホック２４が凸設され、前記継合座２の他端面には複数の係合ブロック２５が凸設され、前記係合ブロック２５の内側の端面には係合用凹部２５１が凹設される。
【００２０】
前記集光ランプの笠３は入光面３１及び前記入光面３１に対応させて設けられる出光面３２を有し、光線は入光面３１から進入し出光面３２から出光され、前記集光ランプの笠３の周縁には継合座２の各係合ブロック２５に対応させて係合溝３３がそれぞれ形成され、係合溝３３の一側には係合ブロック２５の係合用凹部２５１に対応させて係合用凸部３３１が凸設され、前記集光ランプの笠３には係合溝３３の外端に対応させて回転位置決め溝３４が形成される。
【００２１】
前記放熱座４（図３参照）には複数の放熱用フィン体４１が中心から放射状に設置され、各放熱用フィン体４１の両側面からは対応する複数の放熱用フィン４２が延伸され、同側の隣接する２つの放熱用フィン４２の間には隙間４３が形成され、前記隙間４３は前記継合座２に貫通されて前記基板１の嵌合用凹部１４の嵌合用ホック２４が突出し対応して嵌合され、前記放熱座４の端面は前記基板１に緊密に貼着される。
【００２２】
装設されて結合されると、前記基板１の位置決め溝１２は継合座２の位置決めブロック２２に正対し、而前記基板１と継合座２とは相互に圧着され、継合座２の位置決めブロック２２を基板１の位置決め溝１２に納置させ、継合座２の位置限定ブロック２３も基板１の位置限定溝１３内に納置させ、また継合座２の嵌合用ホック２４と基板１の嵌合用凹部１４とを嵌設させて定位させ、基板１と継合座２とを相互に直接装設させて定位させる（図２参照）。
その後前記継合座２の各係合ブロック２５を集光ランプの笠３の各係合溝３３に対応させ、継合座２と集光ランプの笠３とを相互に圧着させ、各係合ブロック２５の係合用凹部２５１と各係合溝３３の係合用凸部３３１とを相互に係合させ結合させて固定させ、前記継合座２を貫通させて前記基板１の嵌合用凹部１４の嵌合用ホック２４を突出させて対応させて前記放熱座４の同側の隣接する２つの放熱用フィン４２の間に形成される隙間４３に嵌入させて嵌合させ、前記放熱座４の端面を前記基板１に緊密に貼着させる。これにより、前記集光ランプの笠３の回転位置決め溝３４を利用し装設が完成した基板１、継合座２及び集光ランプの笠３を所定の位置に回転するよう固定させる。
基板１の発光源１１が発する光線は、継合座２の孔部２１を経由し集光ランプの笠３から集光されて投射され、また前記放熱座４は基板１に緊密に貼着され、発光源１１が発光する際に発生する熱エネルギーは前記放熱座４の放熱用フィン４２を経由し放熱される。
【００２３】
（第２実施形態）
図４は本考案の第２実施形態に係る放熱可能な集光モジュールの傾斜の分解図である。
この好ましい実施形態では、本実施形態と第１実施形態との異なる点は、前記集光ランプの笠３及び係合溝３３の両側は共に継合座２の係合ブロック２５に対応する係合用凹部２５１であると共に係合用凸部３３１を凸設させる点である。
また、前記集光ランプの笠３には係合溝３３の外端に対応させて位置決め嵌合部３５が形成され、継合座２の位置決めブロック２２は基板１の位置決め溝１２に納置され、位置限定ブロック２３は位置限定溝１３内に納置され、嵌合用ホック２４と嵌合用凹部１４とは嵌合されて定位される。継合座２の各係合ブロック２５の係合用凹部２５１と集光ランプの笠３の各係合溝３３の係合用凸部３３１とは相互に係合し結合して固定される。
【００２４】
（第３実施形態）
図５及び図６は本考案の第３実施形態に係る放熱可能な集光モジュールの傾斜の分解図である。
この好ましい実施形態では、さらに全体集光レンズ５を含む。前記全体集光レンズ５は前記継合座２の孔部２１に対応して嵌合されると共に基板１上の発光源１１の同軸に設置される。発光源１１に対向する入光面５１及び入光面５１に対応させて設けられる出光面５２を有し、前記全体集光レンズ５の入光面５１の有効入光角度は発光源１１の出光角度に等しいかより大きく、前記全体集光レンズ５の出光面５２の出光角度は集光ランプの笠３の入光面５１の有効入光角度に等しいかより小さく、また、前記全体集光レンズ５の発光源１１に向けた方向に環状に延伸される継合座５３を有し、継合座２の孔部２１に緊密に嵌合される。
また、前記継合座２の孔部２１の周壁には第一係合部２６が設けられ、前記継合座５３の外周壁には前記第一係合部２６に対応する第二係合部５４が設けられ、前記全体集光レンズ５の第二係合部５４は前記継合座２の第一係合部２６に対応させた後、全体集光レンズ５の継合座５３は前記継合座２の孔部２１に対応させて緊密に嵌合され、前記全体集光レンズ５は継合座２の孔部２１中では回転せず、安定的に定位される。
【００２５】
これにより、基板１の発光源１１が発する光線は全体集光レンズ５により集光された後、集光ランプの笠３に投射され、集光ランプの笠３により光線は集光されて投射される。
【００２６】
（第４実施形態）
図７は本考案の第４実施形態に係る放熱可能な集光モジュールの傾斜の分解図である。
この好ましい実施形態では、本実施形態と第３実施形態との異なる点は、前記集光ランプの笠３及び係合溝３３の両側は継合座２の係合ブロック２５の係合用凹部２５１に対応すると共に係合用凸部３３１が凸設され、前記集光ランプの笠３は係合溝３３の外端に対応させる位置決め嵌合部３５が形成される点である。
継合座２の位置決めブロック２２は基板１の位置決め溝１２に納置され、位置限定ブロック２３は位置限定溝１３内に納置され、嵌合用ホック２４と嵌合用凹部１４とは嵌合されて定位され、基板１と継合座２とは互いに直接装設されて定位される。
【００２７】
（第５実施形態）
図８は本考案の第５実施形態に係る放熱可能な集光モジュールの傾斜の分解図である。
この好ましい実施形態では、光を反射させるハーフハウジング６を更に備える。前記光を反射させるハーフハウジング６は前記継合座２の孔部２１に対応して嵌合される継合端６１を有し、前記光を反射させるハーフハウジング６は継合端６１から円弧状を呈する光反射部６２が延伸され、前記集光ランプの笠３が覆設される。
【００２８】
図９によれば、前記光を反射させるハーフハウジング６の継合端６１は前記継合座２の孔部２１に対応して嵌合され、前記継合座２の各係合ブロック２５は集光ランプの笠３の各係合溝３３に対応させ、継合座２と集光ランプの笠３とは互いに圧着される。各係合ブロック２５の係合用凹部２５１と各係合溝３３の係合用凸部３３１とは相互に係合され結合されて固定され、前記集光ランプの笠３の回転位置決め溝３４により装設が完成した基板１、継合座２、光を反射させるハーフハウジング６及び集光ランプの笠３は所定の位置に回転するよう装設されて定位される。
前記光を反射させるハーフハウジング６には前記集光ランプの笠３が覆設され、基板１の発光源１１が発する光線は継合座２の孔部２１を経由し前記光を反射させるハーフハウジング６の光反射部６２で反射された後、集光ランプの笠３により光線は集光されて投射される。
前記光を反射させるハーフハウジング６の光反射部６２は円弧状を呈し、発光源１１に位置する上半部に対応させ、これにより発光源１１が発する光線の上半部は前記光反射部６２で反射されて集光された後、集光ランプの笠３から投射されて円弧状の光の形状を形成し、発光源１１所が発する光線は集光ランプの笠３を直接経由し投射されて形成させる矩形の光の形状により、前記集光モジュールが投射する光の形状の面積を増加させる効果を達成させる。
【００２９】
（第６実施形態）
図１０は本考案の第６実施形態に係る放熱可能な集光モジュールの傾斜の分解図である。
この好ましい実施形態では、前記放熱可能な集光モジュールの前記集光ランプの笠３及び係合溝３３の両側は共に継合座２の係合ブロック２５の係合用凹部２５１に対応させると共に係合用凸部３３１が凸設され、前記集光ランプの笠３には係合溝３３の外端に対応させて位置決め嵌合部３５が形成される。
継合座２の位置決めブロック２２は基板１の位置決め溝１２に納置され、位置限定ブロック２３は位置限定溝１３内に納置され、嵌合用ホック２４は嵌合用凹部１４に嵌合されて定位され、基板１と継合座２とは相互に直接装設されて定位され、前記光を反射させるハーフハウジング６の継合端６１は前記継合座２の孔部２１に対応して嵌合される。
継合座２の各係合ブロック２５の係合用凹部２５１と集光ランプの笠３の各係合溝３３の係合用凸部３３１とは互いに係合して結合して固定された後、前記集光ランプの笠３の位置決め嵌合部３５により装設が完成した基板１、継合座２、光を反射させるハーフハウジング６及び集光ランプの笠３を所定の位置に回転するよう直接固定させる。
【００３０】
上述した放熱可能な集光モジュールの第１実施形態ないし第２実施形態では、前記集光ランプの笠３の出光面３２には相互に交叉するＸ軸稜線３６及びＹ軸稜線３７が形成され、出光面３２は時計回りに第一領域曲面３２１、第二領域曲面３２２、第三領域曲面３２３，及び第四領域曲面３２４に分割される。
前記「稜線」の定義は２つの隣接する領域曲面の最高点が相互に交叉して形成される線を指し、前記「稜線」上の線上の任意の一点と、２つの隣接する領域曲面の前記「稜線」に対応する任意の一点とは互いに対応して重複する点を有し、前記２つの重複の点の曲率は同じである。
第一領域曲面３２１及び第四領域曲面３２４が組成させる領域のＸ軸の曲率と第二領域曲面３２２及び第三領域曲面３２３が組成させる領域のＸ軸の曲率とが同じであり、第一領域曲面３２１及び第二領域曲面３２２が組成させる領域のＹ軸の曲率と第三領域曲面３２３及び第四領域曲面３２４が組成させる領域のＹ軸の曲率とが同じである場合、前記Ｘ軸の曲率と前記Ｙ軸の曲率とは不等である。
【００３１】
以上、本考案はこのような実施形態に限定されるものではなく、考案の趣旨を逸脱しない範囲において、種々の形態で実施することができる。
【符号の説明】
【００３２】
１      基板
１１    発光源
１２    位置決め溝
１３    位置限定溝
１４    嵌合用凹部
２      継合座
２１    孔部
２２    位置決めブロック
２３    位置限定ブロック
２４    嵌合用ホック
２５    係合ブロック
２５１  係合用凹部
２６    第一係合部
３      集光ランプの笠
３１    入光面
３２    出光面
３２１  第一領域曲面
３２２  第二領域曲面
３２３  第三領域曲面
３２４  第四領域曲面
３３    係合溝
３３１  係合用凸部
３４    回転位置決め溝
３５    位置決め嵌合部
３６    Ｘ軸稜線
３７    Ｙ軸稜線
４      放熱座
４１    放熱用フィン体
４２    放熱用フィン体
４３    隙間
５      全体集光レンズ
５１    入光面
５２    出光面
５３    継合座
５４    第二係合部
６      光を反射させるハーフハウジング
６１    継合端
６２    光反射部
【図１】
0003189764.tif 000003
【図２】
0003189764.tif 000004
【図３】
0003189764.tif 000005
【図４】
0003189764.tif 000006
【図５】
0003189764.tif 000007
【図６】
0003189764.tif 000008
【図７】
0003189764.tif 000009
【図８】
0003189764.tif 000010
【図９】
0003189764.tif 000011
【図１０】
0003189764.tif 000012
【図１１】
0003189764.tif 000013